(57)【要約】【課題】  読み取った原稿を自動的に裁断する画像読取装置が提案されている。しかし、読み取った後に自動的に原稿が裁断されるので、読み取った原稿のファクシミリ送信や記憶手段への格納が失敗した場合、再度原稿を画像処理装置に読み取らせて、ファクシミリ送信や記憶手段への格納のやり直しを行うことができない。【構成】  本発明の画像処理装置は、ファクシミリ送信や記憶装置への記憶等の処理が完了したことが確認されるまで原稿を裁断せずに、処理の完了が確認されてから原稿の裁断を行う。この処理の完了の確認は、確認画面等を表示してユーザに行わせてもよいし、画像処理装置自身が行ってもよい。【選択図】図１
2005159729.tif 000002
【特許請求の範囲】
【請求項１】
原稿を読み取る原稿読取手段と、
読み取られた原稿に対して処理を施す原稿処理手段と、
処理の完了を確認する確認手段と、
処理の完了が確認されると、裁断指示を出す裁断指示手段と、
上記裁断指示があると、読み取られた原稿を裁断する裁断手段を備えたことを特徴とする画像処理装置。
【請求項２】
上記確認手段は、処理の完了の確認をユーザから得る請求項１に記載の画像処理装置。
【請求項３】
上記原稿読取手段に読み取られた原稿をローラで保持し、ユーザが裁断不許可を示すと、上記ローラに保持された原稿を排紙トレイに排紙し、ユーザが上記裁断許可を示すと、上記ローラを逆転して上記ローラに保持された原稿を上記ローラを挟んで上記排紙トレイと反対側に設けられた上記裁断手段に搬送する搬送制御手段を備えた請求項２に記載の画像処理装置。
【発明の詳細な説明】
【技術分野】
【０００１】
本発明は、ファクシミリ、複写機、スキャナ、複合機等の画像処理装置に関する。
【背景技術】
【０００２】
ファクシミリ装置は、一般的にファクシミリ送信する原稿を読み取ると、原稿をファクシミリ送信すると共にその原稿を排紙トレイに排紙する。ユーザは、排紙トレイに排紙された原稿を排紙トレイから取り除く。排紙された原稿は、既にファクシミリ送信されているために、ユーザにとって不要な原稿となり、そのため、ユーザは、取り除いた原稿をシュレッダーで裁断したり、ゴミ箱に捨てたりする。取り除いた原稿をシュレッダーで裁断したり、ゴミ箱に捨てたりすることは、スキャナ装置等を用いて電子データ化された原稿についても行われる。
【０００３】
このように、排紙トレイから原稿を取り除き、更にこの原稿をシュレッダーで裁断したり、ゴミ箱に捨てたりする手間を省くために、特開２００２−１５８８１５号公報に記載されているように読み取った原稿を自動的に裁断する画像形成装置が提案されている。
【特許文献１】特開２００２−１５８８１５号公報
【発明の開示】
【発明が解決しようとする課題】
【０００４】
しかし、原稿の裁断がファクシミリ送信の完了前に行われると、このファクシミリ送信が失敗した場合、ファクシミリ送信のやり直しをすることができない。ファクシミリ送信が失敗した場合であっても、上記公報に記載のように、裁断と同時に読み取った原稿を記憶装置に記憶させると、記憶装置から原稿を読み出して、ファクシミリ送信のやり直しができる。
【０００５】
しかし、原稿の裁断と同時に記憶装置に原稿を記憶させることが行われるために、記憶装置への記憶が失敗した場合、原稿のコピーを作成することができない。そのため、原稿をファクシミリ送信することができない場合が発生する。また、原稿の裁断と同時に記憶装置に原稿を記憶させる場合、記憶装置への記憶が失敗した場合、記憶装置への原稿の記憶もできなくなる場合が発生する。
【０００６】
そこで、本発明は、原稿のファクシミリ送信や電子データ化を妨げることなく、原稿の裁断を行う画像処理装置を目的とする。
【課題を解決するための手段】
【０００７】
本発明の画像処理装置は、ファクシミリ送信や記憶装置への記憶等の処理が完了したことが確認されるまで原稿を裁断せずに、処理の完了が確認されてから原稿の裁断を行う。この処理の完了の確認は、確認画面等を表示してユーザに行わせてもよいし、画像処理装置自身が行ってもよい。
【０００８】
また、原稿を裁断するかどうかをユーザが選択することができるように、画像処理装置は、ユーザから裁断不許可が示されると、原稿を裁断せずに排紙トレイに排紙し、ユーザから裁断許可が示された場合のみ、原稿を裁断するようにしてもよい。
【０００９】
原稿を裁断する裁断手段は、排紙トレイへの原稿の排紙を妨げないように、裁断手段を読み取られた原稿を排紙トレイに搬送するローラを挟んで排紙トレイと反対側に設けてもよい。裁断手段をローラを挟んで排紙トレイの反対側に設ける場合、排紙トレイへの原稿の搬送と、裁断手段への原稿の搬送は、ローラの回転する向きを異ならせることで行うことができる。
【発明の効果】
【００１０】
原稿に対する処理が完了した後に裁断が行われるので、原稿に対する処理が完了する前に原稿が裁断されて消滅することがない。したがって、原稿に対する処理が失敗しても、再度その処理をやり直すことができる。
【００１１】
画像処理装置の排紙トレイと反対側には、従来何も設けられておらず、デットスペースとなっていた。このデットスペースに裁断手段を設けることで、画像処理装置の大型化を防ぐことができる。排紙トレイと反対側に裁断手段を備えることで、排紙トレイへの排紙機構の妨げを考慮せずに、裁断手段の配置場所や形状を決定することもできる。
【発明を実施するための最良の形態】
【００１２】
（実施の形態１）
本発明の画像処理装置は、原稿の読み取りのモードとして、読み取った原稿を裁断する裁断モードと、裁断せずに排紙トレイに排紙する通常モードの２つのモードを採用している。
【００１３】
原稿の読み取りのモードの選択は、図１に示す画像処理装置１００に備えられた操作パネル１０１を用いて行うことができる。
【００１４】
例えば、上記操作パネル１０１の初期画面２００は、図２に示すように、テンキー２０１、原稿読取のスタートキー２０２、モード設定キー２０３等が表示される。上記モード設定キー２０３が押下されると、モード設定手段１０２は、上記操作パネル１０１に、図３に示すように、裁断モードと通常モードの何れかと、片面読取モードと両面読取モードの何れかをユーザに選択させるための選択画面３００を表示する。上記選択画面３００は、裁断モードキー３０１、通常モードキー３０２、片面読取モードキー３０３、両面読取モードキー３０４、決定キー３０５が含まれる。
【００１５】
モードを選択したい場合、ユーザは、選択画面３００を表示させて、自分が所望するモードに対応するキーを押下して、決定キー３０５を押下する。
【００１６】
決定キー３０５が押下されると、上記モード設定手段１０２は、ユーザにて押下されたキーに基づいて、ユーザが選択したモードを認識する。上記モード設定手段１０２は、選択されたモードを搬送制御手段１０３に通知する。上記搬送制御手段１０３は、以後、通知されたモードに従った原稿Ｍの搬送を行う。また、上記決定キー３０５が押下されると、上記モード設定手段１０２は、上記操作パネル１０１の表示を選択画面３００から初期画面２００に切り替える。
【００１７】
以上のようにして、裁断モードまたは通常モードと、片面読取モードまたは両面読取モードを設定した画像処理装置１００を用いて原稿Mのファクシミリ送信を行う場合、ユーザは、図４に示すフィーダ４０１に原稿Mを載置する。そして、ユーザは、テンキー２０１を用いて送信先のファクシミリ番号を入力して、スタートキー２０２を押下する。
【００１８】
スタートキー２０２が押下されると、上記搬送制御手段１０３は、上記モード設定手段１０２から通知されたモードに従った原稿搬送を開始する。
【００１９】
この原稿搬送の最初の過程では、ピックアップローラ４０２と分離ローラ４０３を用いてフィーダ４０１から原稿Ｍ１枚を搬送路Ｌ内に送り込むことがおこなわれる。最初の改定で行われるこのような作業は、上記搬送制御手段１０３にどのようなモードが上記モード設定手段１０２から通知されていても同じである。
【００２０】
以降の工程では、上記搬送制御手段１０３に通知されている、裁断モードまたは通常モードと、片面読取モードまたは両面読取モードの組み合わせによって行われる作業が下記の様に異なる。
【００２１】
片面読取モードと通常モードが通知されているときは、上記搬送制御手段１０３は、最初の工程で搬送路Ｌ内に送り込んだ原稿Ｍをレジストローラ４０４、搬送ローラ４０５、排紙ローラ４０７等を用いて、読取位置Ｐを通過させて原稿Ｍを排紙トレイ４１１に排紙する。排紙トレイ４１１に原稿Ｍを排紙すると、上記搬送制御手段１０３は、上記と同じようにしてフィーダ４０１に載置された次の原稿Ｍを排紙トレイ４１１へと搬送する。
【００２２】
原稿Ｍは、上記読取位置Ｐを通過する際に、上記原稿読取手段１０４によって読み取られる。上記原稿読取手段１０４は、読み取って得た画像データを原稿処理手段１０６に入力する。上記原稿処理手段１０６は、入力された画像データを記憶手段１０５に記憶させる。
【００２３】
両面読取モードと通常モードが通知されているときは、上記搬送制御手段１０３は、上記した最初の工程とほぼ同時に図４に点線で示すように分岐爪４０６の先端４０６ａを下げ、分岐爪４０８の先端４０８ａを上げて、読取位置Ｐから中間ローラ４０９が通じるように搬送路Ｌを変更する。搬送路Ｌを変更すると、上記搬送制御手段１０３は、レジストローラ４０４、搬送ローラ４０５、中間ローラ４０９等を用いて最初の工程で搬送路Ｌ内に送り込んだ原稿Ｍを上記読取位置Ｐを通過させて、原稿Ｍの後端が中間ローラ４０９で挟持される位置に搬送する。
【００２４】
中間ローラ４０９で原稿Ｍの後端を挟持すると、上記搬送制御手段１０３は、図４に実線で示すように上記分岐爪の先端４０６ａを上げ、分岐爪の先端４０８ａを下げて、読取位置Ｐから排紙トレイ４１１が通じるように搬送路Ｌを変更する。搬送路Ｌを変更すると、上記搬送制御手段１０３は、中間ローラ４０９、レジストローラ４０４、搬送ローラ４０５、排紙ローラ４０７を用いて、原稿の後端部分を先頭にして、読取位置Ｐを通過させて、原稿Ｍを排紙トレイ４１１に排紙する。排紙トレイ４１１に原稿Ｍを排紙すると、上記搬送制御手段１０３は、上記と同じようにフィーダ４０１に載置された次の原稿Ｍを搬送路Ｌ内に送り込んで、排紙トレイ４１１に排紙する。
【００２５】
このように中間ローラ４０９にて原稿をスイッチバックさせることで１回目に読取位置Ｐを通過する際と２回目に読取位置Ｐを通過する際では、読取位置Ｐで下向きとなる面が異なるので、上記原稿読取手段１０４は原稿Ｍを両面読み取ることができる。
【００２６】
両面を読み取った場合、上記原稿読取手段１０４は、読み取って得た両面の画像データを上記原稿処理手段１０６に入力する。上記原稿処理手段１０６は、入力された画像データを上記記憶手段１０５に記憶させる。
【００２７】
上記原稿処理手段１０６は、上記記憶手段１０５に画像データを記憶させると、初期画面でテンキー２０１を用いてユーザが入力したファクシミリ番号へと画像データをファクシミリ送信する。このように、通常モードが選択されたときは、片面、両面モードいずれも原稿は排紙トレイにそのまま排紙される（図５、Ｓ５０１→Ｓ５０２）。
【００２８】
上記原稿処理手段１０６は、ファクシミリ送信が完了すると、ファクシミリ送信が完了した原稿に対応する画像データを上記記憶手段１０５から消去する。ファクシミリ送信が失敗した原稿については、上記原稿処理手段１０６は、上記記憶手段１０５にその原稿に対応する画像データを消去せずに記憶させたままにする。ファクシミリ送信に失敗した画像データに関しては、その後、上記原稿処理手段１０６が、再度ファクシミリ送信を試行する。
【００２９】
片面読取モードと裁断モードが通知されているときは、上記搬送制御手段１０３は、原稿Ｍを搬送路Ｌ内に送り込むと、上記原稿処理手段１０６が行う処理の完了を確認する確認手段１０７に上記原稿処理手段１０６の監視を指示する（図５、Ｓ５０１）。監視を指示すると、上記搬送制御手段１０３は、最初の工程で搬送路Ｌ内に送り込んだ原稿Ｍをレジストローラ４０４、搬送ローラ４０５、排紙ローラ４０７等を用いて、原稿Ｍ全体を上記読取位置Pを通過させて、原稿Ｍの後端が排紙ローラ４０７で挟持される位置に原稿Ｍを搬送する（図５、Ｓ５０３）。
【００３０】
両面読取モードと裁断モードが通知されている場合、上記搬送制御手段１０３は、片面読取モードと裁断モードが通知されているときと同じように、原稿Ｍを搬送路Ｌ内に送り込むと、上記原稿処理手段１０６が行う処理の完了を確認する確認手段１０７に上記原稿処理手段１０６の監視を指示する（図５、Ｓ５０１）。監視を指示すると、上記搬送制御手段１０３は、両面読取モードと通常モードが通知されているときと同じように、図４に点線で示すように分岐爪４０６の先端４０６ａを下げ、分岐爪４０８の先端４０８ａを上げる。そして、上記搬送制御手段１０３は、レジストローラ４０４、搬送ローラ４０５、中間ローラ４０９等を用いて最初の工程で搬送路Ｌ内に送り込んだ原稿Ｍを上記読取位置Ｐを通過させて、原稿Ｍの後端が中間ローラ４０９で挟持される位置に搬送する。
【００３１】
中間ローラ４０９で原稿Ｍの後端を挟持すると、上記搬送制御手段１０３は、図４に実線で示すように上記分岐爪の先端４０６ａを上げ、分岐爪の先端４０８ａを下げる。搬送路Ｌを変更すると、上記搬送制御手段１０３は、中間ローラ４０９、レジストローラ４０４、搬送ローラ４０５、排紙ローラ４０７を用いて、原稿Ｍの後端部分を先頭にして、読取位置Ｐを通過させて、原稿Ｍの後端が排紙ローラ４０７で挟持される位置に原稿Ｍを搬送する（図５、Ｓ５０３）。
【００３２】
上述のように、上記原稿読取手段１０４は、読取位置Ｐを通過した原稿Ｍを読み取り、読み取って得た画像データを原稿処理手段１０６に入力する。上記原稿処理手段１０６は、上記のように入力された画像データを上記記憶手段１０５に記憶させる。
【００３３】
上記のように、上記搬送制御手段１０３から上記原稿処理手段１０６の監視が指示されると、上記確認手段１０７は、上記原稿処理手段１０６を監視して、画像データを記憶させる処理の完了の確認を行う。画像データを記憶させる処理が完了したことが確認できると、上記確認手段１０７は、裁断指示手段１０８に処理の完了を確認した旨を通知する（図５、Ｓ５０４→Ｓ５０５）。
【００３４】
片面読取モードと裁断モードが通知されている場合も、両面読取モードと裁断モードが通知されている場合も、処理の完了を確認した旨が通知されると、上記裁断指示手段１０８は、上記搬送制御手段１０３と裁断手段１０９に裁断指示を出す。
【００３５】
裁断指示があると、上記搬送制御手段１０３は、読取位置Ｐを挟んで排紙ローラ４０７と反対側に位置するガイド４１２の先端４１２ａを上げて、読取位置Ｐを挟んで排紙トレイ４１１と反対側に設けられた裁断手段１０９が通じるように搬送路Ｌを変更する。搬送路Ｌを変更すると、上記搬送制御手段１０３は、排紙トレイ４１１に原稿Ｍを排紙する場合の回転方向と逆方向に上記排紙ローラ４０７を回転させて、上記ガイド４１２の下方を通過させて、排紙ローラ４０７に挟持された原稿Ｍを上記裁断手段１０９に搬送する。
【００３６】
上記裁断手段１０９は、裁断指示があると、搬送されて来た原稿Ｍを裁断する（図５、Ｓ５０６）。本実施の形態は、原稿Ｍを裁断する裁断ローラ４１３にて上記裁断手段１０９が構成されているので、上記裁断指示が出ると上記裁断ローラ４１３は稼動する。裁断ローラ４１３にて裁断された原稿Ｍは、裁断ローラ４１３の下方に設けられたゴミ箱４１４に落下する。
【００３７】
図４に示すように、本実施の形態においては、上記裁断ローラ４１３は、排紙トレイ４１１と読取位置Ｐと反対側に設けられているため、裁断ローラ４１３など、原稿Ｍを裁断する機構等が、排紙トレイ４１１の原稿Ｍの搬送を妨げることがない。よって、排紙トレイ４１１への排紙機構の妨げを考慮せずに、裁断手段１０９の配置場所や形状を決定することができる。
【００３８】
裁断モードが通知されている場合も、上記原稿処理手段１０６は、上記記憶手段１０５に記憶した画像データをファクシミリ送信し、送信が完了した画像データを上記記憶手段１０５から消去する。
【００３９】
上記においては、上記記憶手段１０５への画像データの記憶が完了したことが確認されると、裁断指示が出されているが、裁断指示が出されるタイミングを、例えば、ファクシミリ送信の完了が確認されてから行われてもよい。
【００４０】
（実施の形態２）
実施の形態１においては、裁断モードが選択された場合、画像データの上記記憶手段１０５への記憶処理や、画像データのファクシミリ送信が完了したことが上記確認手段１０７にて確認されると、ユーザの判断を仰がずに上記裁断指示手段１０８が裁断指示を出している。上記裁断指示手段１０８は、この裁断指示をユーザからの指示があったときのみ出すようにしてもよい。
【００４１】
ユーザからの指示を上記裁断指示手段１０８に入力する方法として、以下の方法を用いることができる。
【００４２】
本実施の形態の画像処理装置１００は、実施の形態１に記載の裁断モードが採用されておらず、通常モードのみ採用されているものとする。
【００４３】
上記搬送手段１０３は、ファクシミリ番号が入力されてスタートキー２０２が押下されると、フィーダ４０１に載置された原稿Mを実施の形態１に記載した裁断モードの場合のように搬送路L内に搬送して、原稿Mの後端が排紙ローラ４０７に挟持される位置まで搬送する（図７、Ｓ７０１）。
【００４４】
上記原稿読取手段１０４は、原稿Mが読取位置Ｐを通過する際に、原稿Mを読み取って画像データを得る。上記原稿読取手段１０４は読み取って得た画像データを上記原稿処理手段１０６に入力する。上記原稿処理手段１０６は、入力された画像データを上記記憶手段１０５に記憶させる。
【００４５】
上記原稿処理手段１０６は、画像データを記憶させると、図６に示すように、記憶処理が完了した旨を示す完了確認画面６０１を上記操作パネル１０１に表示する（図７、Ｓ７０２）。上記完了確認画面６０１には、図６に示すように、裁断キー６０２と排紙キー６０３が表示される。ユーザが裁断キー６０２を押下すると、上記確認手段１０７は、上記裁断指示手段１０８に処理の完了を確認した旨を通知する。
【００４６】
確認された旨が通知されると、上記裁断指示手段１０８は、上記裁断指示を上記搬送制御手段１０３と上記裁断手段１０９に出す（図７、Ｓ７０３）。裁断指示が出ると、上記搬送制御手段１０３は、実施の形態１のように原稿Ｍを上記裁断手段１０９に搬送する。上記裁断手段１０９は、搬送された原稿Ｍを裁断する（図７、Ｓ７０４）。
【００４７】
上記確認完了画面６０１にて、排紙キー６０３が押下された場合、上記確認手段１０７は、上記裁断指示手段１０８に排紙キー６０３が指示されたことを通知する。
【００４８】
排紙が指示されたことが通知されると、上記裁断指示手段１０８は、上記搬送制御手段１０３に排紙指示を出す。排紙指示があると、上記搬送制御手段１０３は、排紙ローラ４０７を回転させて、排紙ローラ４０７に挟持された原稿Ｍを排紙トレイ４１１に排紙する
（図７、Ｓ７０５）。
【００４９】
上記搬送制御手段１０３は、原稿Ｍを裁断または排紙すると、フィーダ４０１に載置された次の原稿を搬送路Ｌに送り込む。
【００５０】
以上のように、原稿の裁断するかどうかについてユーザの指示を仰いでもよい。
【図面の簡単な説明】
【００５１】
【図１】本発明の画像処理装置の機能ブロック図である。
【図２】初期画面の模式図である。
【図３】選択画面の模式図である。
【図４】本発明の画像処理装置の外観図である。
【図５】原稿の裁断または排紙の手順を示すフローチャートである。
【図６】完了確認画面の模式図である。
【図７】原稿の裁断または排紙の手順を示すフローチャートである。
【符号の説明】
【００５２】
１００  画像処理装置
１０１  操作パネル
１０２  モード設定手段
１０３  搬送制御手段
１０４  原稿読取手段
１０６  原稿処理手段
１０７  確認手段
１０８  裁断指示手段
１０９  裁断手段
４０７  排紙ローラ
４１１  排紙トレイ
４１３  裁断ローラ
【図１】
2005159729.tif 000003
【図２】
2005159729.tif 000004
【図３】
2005159729.tif 000005
【図４】
2005159729.tif 000006
【図５】
2005159729.tif 000007
【図６】
2005159729.tif 000008
【図７】
2005159729.tif 000009